(57)【要約】【課題】  合成樹脂流路内に芯金の保持部材等を何も設置せず合成樹脂の流れを容易にすると共に芯金の保持及び浮遊状態を正確，確実にし、合成樹脂の被覆によって、芯金に脚部を自動的に連結する芯金等を合成樹脂で被覆してなる足掛具の成形方法を提供する。【解決手段】  予め芯金１の両側端部を脚部構成部材７に挿入して足掛具の主体を形成し、上下の成形金型１３，９の溝１４，１０の両端部に保持部材１２を配置し、足掛具の主体の脚部構成部材側を保持部材によって保持し脚部構成部材を上下の成形金型の溝内に保持すると共に芯金と脚部構成部材の前部とを上下の成形金型の合成樹脂を被覆する溝１５，１１内に浮上させて上下の成形金型の合成樹脂を被覆する溝間にすき間を形成し、該すき間に合成樹脂を供給して芯金と脚部構成部材の前部とを合成樹脂で被覆し芯金と脚部構成部材の前部とを連結した芯金等を合成樹脂で被覆してなる足掛具の成形方法。【選択図】        図５
2010120175.tif 000002
【特許請求の範囲】
【請求項１】
外周に合成樹脂の被覆が施され足掛具の足踏部とその両側部及び脚部の芯材となる平面視がコ字状で断面円形状の芯金と、該芯金の両側端部が挿入され前記脚部が構成される有底筒状で前記被覆される合成樹脂と同一材料からなる脚部構成部材と、該脚部構成部材の後部側をカバーし、中間部を支持し、前部側を浮上させる保持部材と、これら芯金と脚部構成部材と保持部材とを内蔵させる溝と前記芯金の外周に合成樹脂を被覆する溝とを連設させた上下の成形金型とを用いて足掛具を成形する方法であって、予め芯金の両側端部を脚部構成部材に挿入して足掛具の主体を形成し、上下の成形金型の溝の両端部に保持部材を配置し、前記足掛具の主体の脚部構成部材側を保持部材によって保持し脚部構成部材を上下の成形金型の溝内に保持すると共に芯金と脚部構成部材の前部とを上下の成形金型の合成樹脂を被覆する溝内に浮上させて上下の成形金型の合成樹脂を被覆する溝間にすき間を形成し、該すき間に合成樹脂を供給して芯金と脚部構成部材の前部とを合成樹脂で被覆し芯金と脚部構成部材の前部とを連結したことを特徴とする芯金等を合成樹脂で被覆してなる足掛具の成形方法。
【請求項２】
前記脚部構成部材の前部外周にリング状の比較的小径の突片を形成し、脚部構成部材の後部外周に複数のリング状の比較的大径の係止片を形成し、前記保持部材を合成樹脂流路形成部と支持部及びカバー部とで構成し、該支持部の前端まで合成樹脂を被覆させることを特徴とする請求項１に記載の芯金等を合成樹脂で被覆してなる足掛具の成形方法。
【請求項３】
前記上の成形金型に合成樹脂の供給口を開口させ、上下成形金型の境界部に前記芯金の足踏部に相当する中央部まで合成樹脂を供給するための供給通路を形成し、該供給通路から足踏部に相当する中央部に向けて合成樹脂を噴射する噴射口を形成し、前記保持部材の両支持部の前端まで合成樹脂を被覆させることを特徴とする請求項１又は請求項２に記載の芯金等を合成樹脂で被覆してなる足掛具の成形方法。
【発明の詳細な説明】
【技術分野】
【０００１】
本発明は、コ字状の芯金等に合成樹脂で被覆してなる足掛具の成形方法に関するものである。
【背景技術】
【０００２】
従来，コ字状の芯金に合成樹脂を被覆してなる足掛具を成形する方法として、足掛具の足踏部と脚部に相当する個所にスプリングで付勢された複数のピンを立設し、且つ足踏部に相当する部位の両端部近傍に芯金を固定するピストンを芯金の前後方向に対向させ設けて芯金を浮遊状態とし、芯金全体の外周に合成樹脂を被覆する足掛具を成形する方法がある（例えば特許文献１参照。）。
【０００３】
【特許文献１】特開２００３−３５０５号公報
【発明の開示】
【発明が解決しようとする課題】
【０００４】
ところで、前記従来技術の方法では、複数のピン及びピストンで芯金を浮上状態にし、合成樹脂を噴射供給して、該合成樹脂の金型内を流れる圧力によりピンの上面を押して、該ピンの下部に設置されたスプリングにより合成樹脂が被覆される厚さまでピンを下げると共に合成樹脂が硬化しない流動状態時にピストンを後方に動かすことにより合成樹脂を被覆しているが、ピン及びピストンが合成樹脂の噴射供給時に邪魔をして合成樹脂の流れを容易にすることができない虞があった。
また、芯金の保持が確実でなく、芯金がずれて正確に芯金に合成樹脂を被覆することができない虞もあった。
【０００５】
本発明は、従来の技術の有するこのような問題点に鑑みてなされたものであり、その目的とするところは、合成樹脂流路内に芯金の保持部材等を何も設置せず合成樹脂の流れを容易にすると共に芯金の保持及び浮遊状態を正確，確実にし、合成樹脂の被覆によって、芯金に脚部を自動的に連結する芯金等を合成樹脂で被覆してなる足掛具の成形方法を提供しようとするものである。
【課題を解決するための手段】
【０００６】
上記目的を達成するために、本発明における芯金等を合成樹脂で被覆してなる足掛具の成形方法は、外周に合成樹脂の被覆が施され足掛具の足踏部とその両側部及び脚部の芯材となる平面視がコ字状で断面円形状の芯金と、該芯金の両側端部が挿入され前記脚部が構成される有底筒状で前記被覆される合成樹脂と同一材料からなる脚部構成部材と、該脚部構成部材の後部側をカバーし、中間部を支持し、前部側を浮上させる保持部材と、これら芯金と脚部構成部材と保持部材とを内蔵させる溝と前記芯金の外周に合成樹脂を被覆する溝とを連設させた上下の成形金型とを用いて足掛具を成形する方法であって、予め芯金の両側端部を脚部構成部材に挿入して足掛具の主体を形成し、上下の成形金型の溝の両端部に保持部材を配置し、前記足掛具の主体の脚部構成部材側を保持部材によって保持し脚部構成部材を上下の成形金型の溝内に保持すると共に芯金と脚部構成部材の前部とを上下の成形金型の合成樹脂を被覆する溝内に浮上させて上下の成形金型の合成樹脂を被覆する溝間にすき間を形成し、該すき間に合成樹脂を供給して芯金と脚部構成部材の前部とを合成樹脂で被覆し芯金と脚部構成部材の前部とを連結したものである。
【０００７】
また、前記脚部構成部材の前部外周にリング状の比較的小径の突片を形成し、脚部構成部材の後部外周に複数のリング状の比較的大径の係止片を形成し、前記保持部材を合成樹脂流路形成部と支持部及びカバー部とで構成し、該支持部の前端まで合成樹脂を被覆させるものである。
【０００８】
また、前記上の成形金型に合成樹脂の供給口を開口させ、上下成形金型の境界部に前記芯金の足踏部に相当する中央部まで合成樹脂を供給するための供給通路を形成し、該供給通路から足踏部に相当する中央部に向けて合成樹脂を噴射する噴射口を形成し、前記保持部材の両支持部の前端まで合成樹脂を被覆させるものである。
【発明の効果】
【０００９】
本発明の請求項１においては、合成樹脂流路内に芯金の保持部材等を何も設置せず合成樹脂の流れを容易にすると共に芯金の保持及び浮遊状態を正確，確実にし、合成樹脂の被覆によって、芯金に脚部を自動的に連結する芯金等を合成樹脂で被覆してなる足掛具の成形方法となる。
【００１０】
また、本発明の請求項２においては、突片により合成樹脂の剥離を防止して芯金と脚部構成部材の連結をより確実なものとし、係止片及び合成樹脂流路と支持部及びカバー部材とで芯金の保持及び浮遊状態をより正確，確実にする芯金等を合成樹脂で被覆してなる足掛具の成形方法となる。
【００１１】
また、本発明の請求項３においては、芯金の足踏部に相当する中央部まで上下成形金型の境界部に合成樹脂を供給するための供給通路を形成し、該供給通路から足踏部に相当する中央部に向けて合成樹脂を噴射する噴射口を形成することにより、保持部材の両支持部の前端まで均等に合成樹脂を供給することができる芯金等を合成樹脂で被覆してなる足掛具の成形方法となる。
【発明を実施するための最良の形態】
【００１２】
外周に合成樹脂の被覆が施され足掛具の足踏部とその両側部及び脚部の芯材となる平面視がコ字状で断面円形状の芯金と、該芯金の両側端部が挿入され前記脚部が構成される有底筒状で前記被覆される合成樹脂と同一材料からなる脚部構成部材と、該脚部構成部材の後部側をカバーし、中間部を支持し、前部側を浮上させる保持部材と、これら芯金と脚部構成部材と保持部材とを内蔵させる溝と前記芯金の外周に合成樹脂を被覆する溝とを連設させた上下の成形金型とを用いて足掛具を成形する方法であって、予め芯金の両側端部を脚部構成部材に挿入して足掛具の主体を形成し、上下の成形金型の溝の両端部に保持部材を配置し、前記足掛具の主体の脚部構成部材側を保持部材によって保持し脚部構成部材を上下の成形金型の溝内に保持すると共に芯金と脚部構成部材の前部とを上下の成形金型の合成樹脂を被覆する溝内に浮上させて上下の成形金型の合成樹脂を被覆する溝間にすき間を形成し、該すき間に合成樹脂を供給して芯金と脚部構成部材の前部とを合成樹脂で被覆し芯金と脚部構成部材の前部とを連結した芯金等を合成樹脂で被覆してなる足掛具の成形方法である。
【実施例】
【００１３】
図１ないし図７は本発明の実施例に関するものであり、図１は芯金の両側端部に脚部構成部材を挿入した足掛具の主体の平面図、図２は下の成形金型に足掛具の主体を設置した平面図、図３は図２のＡ−Ａ断面図、図４は図２のＢ−Ｂ断面図、図５は下の成形金型に上の成形金型を載置したＢ−Ｂ断面図、図６は脚部構成部材の軸線方向の拡大断面図、図７は本発明における芯金等を合成樹脂で被覆してなる足掛具の成形方法により成形した足掛具の平面図である。
【００１４】
図において、１は平面視がコ字状で断面円形状の芯金であり、該芯金１の外周に合成樹脂２の被覆が施されて足掛具３の足踏部４とその両側部５，５及び脚部６，６の芯材となっている。
７は前記芯金１の両側端部が挿入され前記脚部６，６が構成される有底筒状で前記被覆される合成樹脂２と同一材料からなる脚部構成部材であり、該脚部構成部材７を予め前記芯金１の両側端部に挿入して足掛具の主体８を形成している。このように脚部構成部材７を被覆される合成樹脂２と同一材料とすることにより、脚部構成部材７は芯金１と脚部構成部材７の前部とで確実に接続される。
なお、前記芯金１は、鉄製，鋼製，ステンレス製等の棒状体若しくは中空パイプのものを用いることができる。
なおまた、前記合成樹脂２は、例えばポリプレリン，ポリエチレン，ナイロン等を用いることができる。
【００１５】
９は足掛具３を成形する下の成形金型であり、該下の成形金型９は前記芯金１と脚部構成部材７と後述する保持部材とを内蔵させる溝１０と、前記芯金１の外周に合成樹脂２を被覆する溝１１とを連設させるように形成されている。
【００１６】
１２は前記脚部構成部材７の後部側をカバーし、中間部を支持し、前部側を浮上させる保持部材であり、該保持部材１２により前記足掛具の主体８の脚部構成部材側を保持している。
【００１７】
１３は足掛具３を成形する上の成形金型であり、該上の成形金型１３は前記下の成形金型９の溝１０と記芯金１の外周に合成樹脂２を被覆する溝１１と対称的に溝１４，１５が形成されている。
そして、上下の成形金型１３，９の溝１４，１０の両端部に保持部材１２を配置し、前記足掛具の主体８の脚部構成部材７側を保持部材１２によって保持し脚部構成部材７を上下の成形金型１３，９の溝内に保持すると共に芯金１と脚部構成部材７の前部とを上下の成形金型１３，９の合成樹脂２を被覆する溝１５，１１内に浮上させて上下の成形金型１３，９の合成樹脂２を被覆する溝間にすき間を形成するようにしている。
【００１８】
以上のような構成からなる芯金等を合成樹脂で被覆してなる足掛具の成形装置を用いる本発明の足掛具の成形方法は、予め芯金１の両側端部に脚部構成部材７，７を挿入して足掛具の主体８を形成する。そして、前記下の成形金型９の下部に設けた突き出しピン１６が接続されている突き出し板１７を上方向移動させて、突き出しピン１６の他端が接続されている保持部材１２を前記下の成形金型９の溝１０から浮き上がらせる。保持部材１２を浮き上がらせることにより、足掛具の主体８の脚部構成部材７側は保持部材１２のカバーする部位に容易に保持させることができる。
【００１９】
次に、前記上の成形金型１３を下の成形金型９に載置する。この際、上の成形金型１３載置するとその自重により足掛具の主体８の脚部構成部材７側を保持した浮き上がった保持部材１２は下の成形金型９の溝１０に設置される。そして、足掛具の主体８は上下の成形金型１３，９の芯金１と脚部構成部材７の前部とをの合成樹脂２を被覆する溝内に浮上させて配置させることができる。
【００２０】
そして、前記上下の成形金型１３，９の合成樹脂２を被覆する溝間に形成されたすき間に合成樹脂２を供給する。この際、合成樹脂流路内に芯金１の保持部材等が何も設置されていないので合成樹脂２の流れを容易にすることができ、芯金１等が合成樹脂２で被覆される足掛具３が成形される。また、芯金１と脚部構成部材７の前部とを合成樹脂２で被覆することで芯金１と脚部構成部材７の前部とを自動的に連結することができる。
【００２１】
なお、前記下の成形金型９の突き出し板１７には他に複数の突き出しピン１８，１８，…が接続されており、各突き出しピン１８，１８，…の他端側は前記下の成形金型９の溝１０，１１の底部に配置されている。これは合成樹脂２で被覆された足掛具３が成形された時に、前記上の成形金型１３を下の成形金型９から外し、下の成形金型９の下部に設けた突き出し板１７を上方向移動させて、複数の突き出しピン１８，１８，…と前記突き出しピン１６とで合成樹脂２で被覆された足掛具３及び保持部材１２を下の成形金型９の溝１０，１１から浮き上がらせることにより、足掛具３を容易に下の成形金型９の保持部材１２から取り外せるようにしたものである。
【００２２】
また、図６に示すように前記脚部構成部材７の前部外周にリング状の比較的小径の突片１９が形成され、脚部構成部材７の後部外周に複数のリング状の比較的大径の係止片２０，２０，…が形成されている。さらに、図４に示すように前記保持部材１２は合成樹脂流路形成部２１と支持部２２及びカバー部２３とで構成されている。
【００２３】
このように脚部構成部材７に突片１９を形成することにより、供給される合成樹脂２の剥離を防止して芯金１と脚部構成部材７の連結をより確実なものとしている。また、係止片２０，２０，…を形成することにより、カバー部２３に脚部構成部材７を確実に保持すると共に成形された足掛具３において脚部６，６としてマンホール等に設置する場合に、コンクリートからの抜け防止になるものである。
そして、前記保持部材１２を合成樹脂流路形成部２１と支持部２２及びカバー部２３とで構成することにより、前記足掛具の主体８の芯金１の浮遊状態をより正確，確実にすることができる。
【００２４】
さらに、図２に示すように前記上の成形金型１３に合成樹脂２の供給口（図示せず）を開口させ、上下の成形金型１３，９の境界部に前記芯金１の足踏部４に相当する中央部まで合成樹脂２を供給するための供給通路２４を形成し、該供給通路２４から足踏部４に相当する中央部に向けて合成樹脂２を噴射する噴射口２５が形成されている。
そして、芯金１の足踏部４に相当する中央部まで合成樹脂２を供給するための供給通路２４を形成し、該供給通路２４から足踏部４に相当する中央部に向けて合成樹脂２を噴射する噴射口２５を形成したことにより、合成樹脂２は保持部材１２の両支持部２２，２２の前端まで均等に供給することができる。
【図面の簡単な説明】
【００２５】
【図１】図１は芯金の両側端部に脚部構成部材を挿入した足掛具の主体の平面図である。
【図２】下の成形金型に足掛具の主体を設置した平面図である。
【図３】図２のＡ−Ａ断面図である。
【図４】図２のＢ−Ｂ断面図である。
【図５】下の成形金型に上の成形金型を載置したＢ−Ｂ断面図である。
【図６】脚部構成部材の軸線方向の拡大断面図である。
【図７】本発明における芯金等を合成樹脂で被覆してなる足掛具の成形方法により成形した足掛具の平面図である。
【符号の説明】
【００２６】
１                        芯金
２                        合成樹脂
３                        足掛具
４                        足踏部
５                        側部
６                        脚部
７                        脚部構成部材
８                        足掛具の主体
９                        下の成形金型
１０，１１，１４，１５    溝
１２                      保持部材
１３                      上の成形金型
１９                      突片
２０                      係止片
２１                      合成樹脂流路形成部
２２                      支持部
２３                      カバー部
２４                      供給通路
２５                      噴射口
【図１】
2010120175.tif 000003
【図２】
2010120175.tif 000004
【図３】
2010120175.tif 000005
【図４】
2010120175.tif 000006
【図５】
2010120175.tif 000007
【図６】
2010120175.tif 000008
【図７】
2010120175.tif 000009